(57)【要約】【課題】小型でかつ部品点数が少ない電子機器を提供する。【解決手段】電子機器は、複数の信号が入力および／または出力されるパラレル入出力インターフェイス１０５を備えている。パラレル入出力インターフェイス１０５は、パラレルコネクタ７００および端子台ユニット６００のいずれにも電気的にかつ機械的に接続され得るように構成されている。パラレルコネクタ７００は、パラレル入出力インターフェイス１０５を通じて入力および／または出力される複数の信号に対応した複数の信号線が束ねられたコネクタケーブル７１０に接続されている。端子台ユニット６００は、パラレル入出力インターフェイス１０５を通じて入力および／または出力される複数の信号に対応した複数の端子を有している。複数の端子のそれぞれは、１本の信号線が独立して電気的に接続され得るように構成されている。【選択図】図１０
2008123845.tif 000002
【特許請求の範囲】
【請求項１】
電子機器本体ユニットと端子台ユニットとを備える電子機器であって、
前記電子機器本体ユニットは、
複数の信号線が一括して束ねられたパラレルコネクタが電気的かつ機械的に接続され得る第１のパラレル入出力インターフェイスを備え、
前記端子台ユニットは、
その一端に前記第１のパラレル入出力インターフェイスに電気的かつ機械的に接続され得る端子台ユニット側パラレルコネクタが設けられており、
前記端子台ユニット側パラレルコネクタが前記第１のパラレル入出力インターフェイスに電気的に接続された状態で、前記電子機器本体ユニットに機械的に固定され得るように構成されており、
その他端にそれぞれが１本の配線が独立して接続され得る複数の端子が設けられており、
特定の一の信号が、前記１本の配線から前記端子台ユニットを媒介として前記電子機器本体ユニットへ独立して伝送され得るか、または、前記電子機器本体ユニットから前記端子台ユニットを媒介として前記１本の配線へ独立して伝送され得る、電子機器。
【請求項２】
前記電子機器本体ユニットは、前記第１のパラレル入出力インターフェイスとは異なる第２のパラレル入出力インターフェイスをさらに備え、
前記第２のパラレル入出力インターフェイスは、複数の信号線が電気的かつ機械的にパラレルコネクタによって接続され得るものであり、
前記パラレルコネクタにおいては、前記第１のパラレル入出力インターフェイスを媒介として入力および／または出力される信号とは異なる複数の信号が入力および／または出力される、請求項１に記載の電子機器。
【請求項３】
当該電子機器は、センサによって取得されたデータを処理する計測装置であって、
前記第１のパラレル入出力インターフェイスにおいては、前記センサによるセンシングの開始のタイミングを特定するトリガ信号、前記トリガ信号の可否を特定するイネーブル信号、および前記データを用いて何らかの基準にしたがって判定された判定結果を示す判定結果信号のうち少なくともいずれか１つを含む複数を信号が入力および／または出力される、請求項２に記載の電子機器。
【請求項４】
前記第１のパラレル入出力インターフェイスにおいては、前記センサによるデータの取得を行っているタイミングであることを示す計測モード信号、および、前記計測装置のリセットを指示するリセット信号のうち少なくともいずれか１つを含む複数の信号が入力および／または出力される、請求項３に記載の電子機器。
【請求項５】
当該電子機器は、６つの主表面を有する直方体状の外形を有しており、
前記６つの主表面のうちの一の主表面は、取付用レールが挿入され得る取付レール用溝を有しており、
前記第１のパラレル入出力インターフェイスは、前記取付レール用溝が設けられていない主表面に設けられており、
前記端子台ユニットは、前記信号線を前記一の主表面に向かって差し込むことができ、前記信号線をネジによって固定することができるように構成されており、かつ、前記ネジが前記一の主表面に平行に捩じ込まれ得るように構成されている、請求項１に記載の電子機器。
【請求項６】
前記電子機器本体ユニットにおいては、当該電子機器本体ユニットの外面を構成する共通の平面上に前記第１のパラレル入出力インターフェイスと前記第２のパラレル入出力インターフェイスとが所定の間隔をおいて接近して設けられ、
前記端子台ユニットは、
該端子台ユニットが前記電子機器本体ユニットに装着されたときの前記電子機器本体ユニットの表面の該端子台ユニットの占有面積が、前記パラレルコネクタが前記電子機器本体ユニットに装着されたときの前記電子機器本体ユニットの表面の前記パラレルコネクトの占有面積よりも大きくなるように構成され、かつ、
前記第１のパラレル入出力インターフェイスに接続された状態で、前記第２のパラレル入出力インターフェイスの少なくとも一部を覆う、請求項２または３に記載の電子機器。
【請求項７】
前記端子台ユニットが前記電子機器本体ユニットに装着されたときに、前記端子台ユニットが前記電子機器本体ユニットの取り付け表面からはみ出さない、請求項５に記載の電子機器。
【請求項８】
複数の信号線が一括して束ねられたパラレルコネクタが電気的かつ機械的に接続され得る第１のパラレル入出力インターフェイスを備えた電子機器本体ユニットに電気的かつ機械的に接続され得る端子台ユニットであって、
当該端子台ユニットは、
その一端に前記第１のパラレル入出力インターフェイスに電気的かつ機械的に接続され得る端子台ユニット側パラレルコネクタが設けられており、
前記端子台ユニット側パラレルコネクタが前記第１のパラレル入出力インターフェイスに電気的に接続された状態で、前記電子機器本体ユニットに機械的に固定され得るように構成されており、
その他端にそれぞれが１本の配線が独立して接続され得る複数の端子が設けられており、
特定の一の信号が、前記１本の配線から前記端子台ユニットを媒介として前記電子機器本体ユニットへ独立して伝送され得るか、または、前記電子機器本体ユニットから前記端子台ユニットを媒介として前記１本の配線へ独立して伝送され得る、端子台ユニット。
【発明の詳細な説明】
【技術分野】
【０００１】
本発明は、信号が入力および／または出力されるパラレルインターフェイスを備えた電子機器および端子台ユニットに関するものである。
【背景技術】
【０００２】
従来から、制御信号がそれぞれに入力および／または出力される複数のパラレル入出力インターフェイスを有する電子機器が用いられている。
【０００３】
従来から、電子機器の一例として、計測装置が用いられている。この計測装置には画像処理装置が用いられているものがある。また、従来の画像処理装置においては、シリアル入出力インターフェイス（ＲＳ−２３２Ｃ、イーサネット（登録商標）、およびＵＳＢ等）およびパラレル入出力インターフェイス（端子台ユニットおよびパラレルコネクタ等）の２種類の入出力インターフェイスが用いられている。
【０００４】
上記のシリアル入出力インターフェイスは、少数の信号線を受け入れるものであるため、その信号線との接続部の寸法が小さい。それに比べて、パラレル入出力インターフェイスは、多数の信号線を受け入れるため、その信号線との接続部の寸法が非常に大きい。
【０００５】
一方、たとえば、画像処理装置においては、近年、計測リードタイムの高速化が望まれているため、計測開始タイミングの入力および計測結果の出力といった画像処理装置を使用する際に必須の信号の送受信のためにパラレル入出力インターフェイスが採用されることが多くなっている。このように、電気機器においては、パラレル入出力インターフェイスが用いられる頻度が高くなっている。
【０００６】
ただし、パラレル入出力インターフェイスのうち、端子台ユニットを採用するか、または、パラレルコネクタを採用するかは、ユーザの使用態様によって異なる。画像処理装置に接続される信号線の数が少ない場合には、信号線を１本ごと独立してパラレル入出力端子の１つの端子に接続することができ、かつ、信号線として安価である配線を接続することができる端子台ユニットが採用される。一方、画像処理装置に接続される信号線の数が多い場合には、複数の信号線が一つに束ねられたコネクタケーブルに接続されたパラレルコネクタが採用される。
【特許文献１】特開平７−２９４４４５号公報
【発明の開示】
【発明が解決しようとする課題】
【０００７】
上述のように、一般的な画像処理装置等の電子機器においては、同一種類の機器における異なるユーザの使用態様に対応するために、複数の入出力インターフェイスが設けられている。特に、パラレル入出力インターフェイスは、端子台ユニットおよびパラレルコネクタのそれぞれに対応するものが１つずつ電子機器に設けられている。
【０００８】
ただし、端子台ユニットおよびパラレルコネクタのうちいずれか一方のみが使用される場合にも、端子台ユニットおよびパラレルコネクタの双方に対応したパラレル入出力インターフェイスが画像処理装置に設けられている。それにより、従来の電子機器は次のような課題を有している。
【０００９】
まず、従来の電子機器によれば、端子台ユニットおよびパラレルコネクタの双方の接続部が設けられているため、コントローラの表面積が大きくなってしまう。また、両インターフェイスを構成する部品が必要なため、コントローラの体積が大きくなる。また、端子台ユニットおよびパラレルコネクタの双方を構成する部品が必要であるため、電子機器の部品点数が増加してしまう。
【００１０】
本発明は、上述のような問題に鑑みなされたものであり、その目的は、小型化が可能であり、かつ、部品点数の低減することができる電子機器および端子台ユニットを提供することである。
【課題を解決するための手段】
【００１１】
本発明の電子機器は、電子機器本体ユニットと端子台ユニットとを備える電子機器である。電子機器本体ユニットは、複数の信号線が一括して束ねられたパラレルコネクタが電気的かつ機械的に接続され得る第１のパラレル入出力インターフェイスを備えている。端子台ユニットは、その一端に第１のパラレル入出力インターフェイスに電気的かつ機械的に接続され得る端子台ユニット側パラレルコネクタが設けられている。また、端子台ユニットは、端子台ユニット側パラレルコネクタが第１のパラレル入出力インターフェイスに電気的に接続された状態で、電子機器本体ユニットに機械的に固定され得るように構成されている。また、端子台ユニットは、その他端にそれぞれが１本の配線が独立して接続され得る複数の端子が設けられている。特定の一の信号が、１本の配線から端子台ユニットを媒介として電子機器本体ユニットへ独立して伝送され得るか、または、電子機器本体ユニットから端子台ユニットを媒介として１本の配線へ独立して伝送され得る。
【００１２】
上記の構成によれば、パラレルコネクタおよび端子台のいずれもが、第１のパラレル入出力インターフェイスに接続され得る。そのため、第１のパラレル入出力インターフェイスでユーザの使用態様の変更に対応することができる。つまり、ユーザの使用態様の変更に対応するために、パラレルコネクタ用の入出力インターフェイスおよび端子台ユニット用の入出力インターフェイスの双方が電子機器に設けられているわけではない。したかって、電気機器の小型化および部品点数の低減を実現することができる。
【００１３】
また、電子機器本体ユニットは、第１のパラレル入出力インターフェイスとは異なる第２のパラレル入出力インターフェイスをさらに備えていてもよい。また、第２のパラレル入出力インターフェイスは、複数の信号線が電気的かつ機械的にパラレルコネクタによって接続され得るものであってもよい。また、パラレルコネクタにおいては、第１のパラレル入出力インターフェイスを媒介として入力および／または出力される信号とは異なる複数の信号が入力および／または出力されてもよい。
【００１４】
また、電子機器は、センサによって取得されたデータを処理する計測装置であってもよい。この場合、パラレル入出力インターフェイスにおいては、センサによるセンシングの開始のタイミングを特定するトリガ信号、トリガ信号の可否を特定するイネーブル信号、およびデータを用いて何らかの基準にしたがって判定された判定結果を示す判定結果信号のうち少なくともいずれか１つを含む複数の信号が入力および／または出力されてもよい。
【００１５】
また、パラレル入出力インターフェイスにおいては、センサによるデータの取得を行なっているタイミングであることを示す計測モード信号、および、計測装置のリセットを指示するリセット信号のうち少なくともいずれか１つを含む複数の信号が入力および／または出力されてもよい。
【００１６】
また、当該電子機器は、６つの主表面を有する直方体状の外形を有しており、６つの主表面のうちの一の主表面は、取付用レールが挿入され得る取付レール用溝を有していてもよい。また、第１のパラレル入出力インターフェイスは、取付レール用溝が設けられていない主表面に設けられていてもよい。この場合、端子台ユニットは、信号線を一の主表面に向かって差し込むことができ、信号線をネジによって固定することができるように構成されており、かつ、ネジは一の主表面に平行に捩じ込まれ得るように構成されていることが望ましい。これによれば、信号線をネジ止めすることが容易である。
【００１７】
また、電子機器本体ユニットにおいては、当該電子機器本体ユニットの外面を構成する共通の平面上に第１のパラレル入出力インターフェイスと第２のパラレル入出力インターフェイスとが所定の間隔をおいて接近して設けられている。端子台ユニットは、端子台ユニットが電子機器本体ユニットに装着されたときの電子機器本体ユニットの表面の端子台ユニットの占有面積が、パラレルコネクタが電子機器本体ユニットに装着されたときの電子機器本体ユニットの表面のパラレルコネクタの占有面積よりも大きくなるように構成されていてもよい。また、端子台ユニットは、第１のパラレル入出力インターフェイスに接続された状態で、第２のパラレル入出力インターフェイスの少なくとも一部を覆うものであってもよい。
【００１８】
また、端子台ユニットが電子機器本体ユニットに装着されたときに、端子台ユニットは電子機器本体ユニットの取り付け表面からはみ出さないことが望ましい。
【００１９】
本発明の端子台ユニットは、複数の信号線が一括して束ねられたパラレルコネクタが電気的かつ機械的に接続され得る第１のパラレル入出力インターフェイスを備えた電子機器本体ユニットに電気的かつ機械的に接続され得る端子台ユニットである。また、端子台ユニットは、その一端に１のパラレル入出力インターフェイスに電気的かつ機械的に接続され得る端子台ユニット側パラレルコネクタが設けられている。また、端子台ユニットは、端子台ユニット側パラレルコネクタが第１のパラレル入出力インターフェイスに電気的に接続された状態で、電子機器本体ユニットに機械的に固定され得るように構成されている。また、端子台ユニットは、その他端にそれぞれが１本の配線が独立して接続され得る複数の端子が設けられている。さらに、特定の一の信号が、１本の配線から端子台ユニットを媒介として電子機器へ独立して伝送され得るか、または、電子機器から端子台ユニットを媒介として１本の配線へ独立して伝送され得る。
【発明を実施するための最良の形態】
【００２０】
以下、図を参照しながら、本発明の実施の形態の電子機器の一例としての計測装置を説明する。
【００２１】
なお、実施の形態の電子機器は、センサとしてカメラを備え、画像処理装置としてコントローラを備え、それらが互いに信号線によって電気的に接続された計測機器である。しかしながら、本発明は、計測機器に限定されるのではなく、パラレル入出力インターフェイスを備えた電子機器であれば、いかなる電子機器にも適用される。
【００２２】
図１および図２に示されるように、本発明の電子機器としての計測装置は、計測対象物の画像データを取得するためのカメラ２００と、カメラ２００が取得した画像データを処理するコントローラ１００とを備えている。
【００２３】
カメラ２００は、計測対象物で反射した光の情報を取得するＣＣＤ（Charge Coupled Devise）等の撮像部２０１と、計測対象物に光を照射するための照明部２０２とを備えている。
【００２４】
また、カメラ２００とコントローラ１００とは、ケーブルコネクタなどの信号線３００によって電気的に接続され、カメラ２００で取得された画像データが信号線３００を通じてコントローラ１００へ送信される。
【００２５】
また、図１〜図５に示すように、コントローラ１００は、筐体１０００を有している。筐体１０００は、正面１００ａ、背面１００ｂ、上面１００ｄ、下面１００ｃ、ならびに、両側面１００ｅおよび１００ｆを有している。
【００２６】
正面１００ａには、カメラ２００によって取得された画像が表示されるＬＣＤ（Liquid Crystal Display）１０１が設けられている。ＬＣＤ１０１は、タッチパネルになっている。また、正面１００ａには、コントローラ１００を操作するための操作部としての設定ボタン１０２とが設けられている。設定ボタン１０２の操作により、ＬＣＤ１０１に表示される画像の表示態様等が変更される。
【００２７】
また、背面１００ｂには、図４を用いて後述する取付用レールに挿入される取付用レール溝１１０が設けられている。取付用レール溝１１０は、背面１００ｂ上において、側面１００ｅから側面１００ｆへそれぞれの側面と垂直に交差するように延びている。
【００２８】
また、図３に示すように、上面１００ｄには、２つのカメラ用インターフェイス１０７および１０８が設けられている。これらのカメラ用インターフェイス１０７および１０８を通じて、互いに異なるカメラによって取得された計測対象物の２つの画像データがそれぞれコントローラ１００へ送信される。
【００２９】
さらに、上面１００ｄには、外部表示装置にアナログＲＧＢ信号を出力するための表示装置用インターフェイス１０９が設けられている。表示装置用インターフェイス１０９は、外部の表示装置に接続され、それに対して、ＬＣＤ１０１に表示される画像と同一の画像を表示させることができる。
【００３０】
また、下面１００ｃには、図１に示すように、電源と接続される電源用インターフェイス１０６と、コントローラ１００を制御するための制御信号が入出力される２つの計測制御信号用インターフェイス１０４および１０５とが設けられている。
【００３１】
計測制御信号用インターフェイス１０５は、端子台ユニット６００が電気的に接続され得るインターフェイスであって、表１に示されるように、ＲＥＳＥＴ（リセット）信号、ＤＳＡ信号、ＤＩ０〜ＤＩ８からなるコマンド、ＴＲＩＧ（トリガ）信号、ＯＲ（オア）信号、ＥＲＲＯＲ（エラー）信号、ＲＵＮ（ラン）信号、ＥＮＡＢＬＥ（イネーブル）信号、ＧＡＴＥ０信号、ＤＯ１５信号が入力または出力されるインターフェイスであり、入力端子用ＣＯＭＩＮおよび出力端子用ＣＯＭＯＵＴを有している。
【００３２】
【表１】
2008123845.tif 000003
【００３３】
ＲＥＳＥＴ信号は、再起動を指示するために、コントローラ１００に入力される信号である。ＤＳＡ信号は、コントローラ１００内のデータの送信を要求するためにコントローラ１００に入力される信号である。ＤＩ０〜ＤＩ８からなるコマンドは、コントローラ１００の動作を指令する指令であって、コントローラ１００に入力される信号である。ＴＲＩＧ信号は、コントローラ１００に計測を開始するトリガを与える信号である。ＯＲ信号は、たとえば、カメラ等のセンサが取得した画像データに基づいて、何らかの判定が行なわれたときの判定結果が良好であるかまたはそれが良好でないかのいずれかを示す信号であって、コントローラ１００から出力される信号である。ＥＲＲＯＲ信号は、コントローラ１００内で何らかのエラーが発生した場合に出力される信号である。ＲＵＮ信号は、コントローラ１００が何らかの計測を行なっている期間中であることを示すために、コントローラ１００から出力される信号である。ＥＮＡＢＬＥ信号は、コントローラ１００が計測開始トリガ信号を受付けることが可能であることを示すために、コントローラ１００から出力される信号である。ＧＡＴＥ（ゲート）０信号は、コントローラ１００によって計測された値が確定した後、設定された時間中においてコントローラ１００から出力される信号である。ＤＯ１５信号は、計測結果を出力する信号である。
【００３４】
計測制御信号用インターフェイス１０４は、端子台ユニット６００が接続されないインターフェイスであって、表２に示されるように、ＳＴＧＯＵＴ０信号、ＳＴＧＯＵＴ１信号、およびＤＯ０〜ＤＯ１４からなるデータ信号が入力または出力されるインターフェイスであり、３つのＣＯＭＯＵＴ（出力端子用コモン）を有している。
【００３５】
【表２】
2008123845.tif 000004
【００３６】
ＳＴＧＯＵＴ０信号およびＳＴＧＯＵＴ１信号のいずれもが、カメラ２００の照明部２０２にストロボ発光の開始のトリガを与えるための信号であって、コントローラ１００に入力される信号である。ＤＯ０〜ＤＯ１４からなるデータ信号は、コントローラ１００から出力されるデータ信号である。
【００３７】
また、計測制御信号用インターフェイス１０５を通じて入力または出力される必須の信号は、表３に示されるように、ＴＲＩＧ信号、ＥＮＡＢＬＥ信号、およびＯＲ信号である。また、ＴＲＩＧ信号、ＥＮＡＢＬＥ信号、およびＯＲ信号を入力または出力する端子は、端子台ユニット６００を通じて１本の信号線に独立して接続され得る端子である。
【００３８】
【表３】
2008123845.tif 000005
【００３９】
ＴＲＩＧ信号は、前述したように、カメラによる画像の取得の開始のトリガを与える信号であって、計測装置における画像処理装置に特有の信号である。ＥＮＡＢＬＥ信号は、ＴＲＩＧ信号の受付の可否を示す信号であって、これも計測装置における画像処理装置に特有の信号である。ＯＲ信号は、複数の領域の計測結果からの総合判定結果を示す信号であって、これも計測装置における画像処理装置に特有の信号である。なお、一般的には、複数の領域のうち１つの領域でも判定結果が不良であれば、総合判定結果は不良とされることが多い。
【００４０】
また、計測制御信号用インターフェイス１０５を通じて入力または出力されることが望ましい信号は、表４に示されるように、ＲＵＮ信号およびＲＥＳＥＴ信号である。また、ＲＵＮ信号およびＲＥＳＥＴ信号を入力または出力する端子は、端子台ユニット６００を通じて１本の信号線に独立して接続され得る端子である。
【００４１】
【表４】
2008123845.tif 000006
【００４２】
ＲＵＮ信号は、一般的な装置においては、装置の動作のＯＮ／ＯＦＦを示す場合が多いが、計測装置における画像処理装置では、カメラ等のセンサによる計測を行なっているときにはＯＮとなり、計測のために画像処理装置の設定を行なっているときにはＯＦＦとなる信号である。ＲＥＳＥＴ信号は、計測装置等のシステムを構成する装置に異常が発生したときに、システムを構成する装置全体をリセットせずに、画像処理装置のみをリセットする場合に必要となる信号である。
【００４３】
図５〜図１１に示すように、コントローラ１００のパラレル入出力インターフェイス１０５には、端子台ユニット６００が取付けられている。端子台ユニット６００は、パラレル入出力インターフェイスとしての計測制御信号用インターフェイス１０５に接続され得るものである。なお、端子台ユニット６００が電子機器１００に装着されたときに、端子台ユニット６００が電子機器１００の取り付け表面である下面１００ｃからはみ出していない。
【００４４】
端子台ユニット６００は、第１の端子部６０１と第２の端子部６０２とを備えている。第１の端子部６０１および第２の端子部６０２は、それぞれ、Ｌ字型の断面形状を有する部分の上段および下段に設けられている。
【００４５】
第１の端子部６０１および第２の端子部６０２は、それぞれ、下面１００ｃに対して垂直な方向に沿って配線が挿入されるように、下面１００ｃに対して垂直な方向に延びる挿入空間を有している。
【００４６】
第１の端子部６０１は、端子６０１ａ，６０１ｂ，６０１ｃ，６０１ｄ，６０１ｅ，６０１ｆ，６０１ｇ，６０１ｈ，６０１ｉ，および６０１ｊを備えている。また、第２の端子部６０２は、端子６０２ａ，６０２ｂ，６０２ｃ，６０２ｄ，６０２ｅ，６０２ｆ，６０２ｇ，６０２ｈ，６０２ｉ，および６０２ｊを備えている。端子６０１ａ〜６０１ｊおよび端子６０２ａ〜６０２ｊのそれぞれは、信号を独立して入力および／または出力することができるように構成されている。
【００４７】
また、端子６０１ａ〜６０１ｊおよび端子６０２ａ〜６０２ｊのそれぞれは、下面１００ｃに対して垂直な方向に沿って延びる孔の内部に設けられている。したがって、１本の信号線が、端子６０１ａ〜６０１ｊおよび端子６０２ａ〜６０２ｊのいずれかに接続されるときには、下面１００ｃに対して垂直な方向に沿って信号線が孔内へ挿入される。
【００４８】
また、信号線が、図５、図７および図１１に示されるように、下面１００ｃに対して平行な方向に沿って捩じ込まれるネジ９０１ａ，９０１ｂ，９０１ｃ，９０１ｄ，９０１ｅ，９０１ｆ，９０１ｇ，９０１ｈ，９０１ｉ，９０１ｊ，９０２ａ，９０２ｂ，９０２ｃ，９０２ｄ，９０２ｅ，９０２ｆ，９０２ｇ，９０２ｈ，９０２ｉ，および９０２ｊのそれぞれによって端子６０１ａ〜６０１ｊおよび端子６０２ａ〜６０２ｊに固定され得る。これによれば、たとえば、図１１に示されるように、信号線８０１ａ，８０１ｄ，８０１ｆ，８０１ｉ，および８０２ｉのみが、それぞれ、端子６０１ａ，６０１ｄ，６０１ｆ，６０１ｉ，および６０２ｉに接続されてもよい。
【００４９】
また、端子台ユニット６００には４つのネジ孔６０３が設けられている。この端子台ユニット６００は、図５に示されるように、ネジ孔６０３に挿入されたネジ６５０によってコントローラ１００の筐体１０００に取付けられる。これにより、図１１に示すように、端子６０１ａ〜６０１ｉおよび端子６０２ａ〜６０２ｉのそれぞれに１本ずつ信号線を独立して電気的に接続することが可能になる。
【００５０】
また、端子台ユニット６００を用いないときは、図７および図１０に示すように、パラレルコネクタ７００をパラレル入出力インターフェイスとしての計測制御信号用インターフェイス１０５に接続することができる。パラレルコネクタ７００は、計測制御信号用インターフェイス１０５を通じて入力および／または出力される複数の信号に対応した複数の信号線が束ねられたコネクタケーブル７１０に接続されている。この場合、パラレルコネクタケーブル７１０内の信号線７１０ａ，７１０ｂ，７１０ｃ，７１０ｄ，７１０ｅ，７１０ｆ，７１０ｇ，７１０ｈ，７１０ｉ，７２０ａ，７２０ｂ，７２０ｃ，７２０ｄ，７２０ｅ，７２０ｆ，７２０ｇ，７２０ｈ，７２０ｉ，および７２０ｊから端子６０１ａ〜６０１ｊおよび端子６０２ａ〜６０２ｊへ信号を伝達することが可能になる。
【００５１】
上記の構成によれば、端子台ユニット６００が用いられる場合には、各端子に１本ずつ信号線としての配線を接続することにより、計測制御信号用インターフェイス１０５の端子のうち必要な端子のみを利用することが可能になる。
【００５２】
なお、本実施の形態の電子機器には、パラレル入出力インターフェイス１０４および１０５の双方が設けられているが、それらのうちのパラレル入出力インターフェイス１０４は設けられていなくてもよい。パラレル入出力インターフェイス１０４が設けられない場合には、電子機器を小型化することができる。
【００５３】
上記の実施の形態の電子機器の特徴は次のようなものである。
電子機器本体ユニットの一例のコントローラ１００は、図１０に示されるように、複数の信号線が一括して束ねられたパラレルコネクタ７００が電気的かつ機械的に接続され得る第１のパラレル入出力インターフェイスとしての計測制御信号用インターフェイス１０５を備えている。端子台ユニット６００は、その一端に第１のパラレル入出力インターフェイス１０５に電気的かつ機械的に接続され得る端子台ユニット側パラレルコネクタが設けられている。また、端子台ユニット６００は、端子台ユニット側パラレルコネクタが計測制御信号用インターフェイス１０５に電気的に接続された状態で、コントローラ１００に機械的に固定され得るように前述のネジ孔６０３に関する構造を有している。また、端子台ユニット６００は、その他端に１本の配線８０１ａ，８０１ｄ，８０１ｆ，８０２ｉが独立して接続され得る複数の端子６０１ａ〜ｊおよび６０２ａ〜ｊが設けられている。したがって、特定の一の信号が、１本の配線８０１ａ等から端子台ユニット６００を媒介としてコントローラ１００へ独立して伝送され得るか、または、コントローラ１００から端子台ユニット６００を媒介として１本の配線８０１ａ等へ独立して伝送され得る。
【００５４】
上記の構成によれば、パラレルコネクタ７００および端子台ユニット６００のいずれもが、計測信号用インターフェイス１０５に接続され得る。そのため、計測信号用インターフェイス１０５でユーザの使用態様の変更に対応することができる。つまり、ユーザの使用態様の変更に対応するために、パラレルコネクタ用の入出力インターフェイスおよび端子台ユニット用の入出力インターフェイスの双方がコントローラ１００に設けられているわけではない。したかって、コントローラ１００の小型化および部品点数の低減を実現することができる。
【００５５】
また、コントローラは、第１のパラレル入出力インターフェイスとしての計測信号用インターフェイス１０５とは異なる第２のパラレル入出力インターフェイスとしての計測信号用インターフェイス１０４をさらに備えている。また、計測制御信号用インターフェイス１０４は、複数の信号線が電気的かつ機械的にパラレルコネクタによって接続され得るものである。また、計測信号用インターフェイス１０４に接続されたパラレルコネクタにおいては、計測制御信号用インターフェイス１０５を媒介として入力および／または出力される信号とは異なる複数の信号が入力および／または出力される。
【００５６】
また、コントローラ１００は、センサとしてのカメラ２００によって取得された画像データを処理する計測装置である。計測信号用インターフェイス１０５においては、センサによるセンシングの開始のタイミングを特定するトリガ信号、トリガ信号の可否を特定するイネーブル信号、およびデータを用いて何らかの基準にしたがって判定された判定結果を示す判定結果信号のうち少なくともいずれか１つを含む複数の信号が入力および／または出力される。
【００５７】
また、計測信号用インターフェイス１０５においては、センサとしてのカメラ２００による画像データの取得を行なっているタイミングであることを示す計測モード信号、および、計測装置のリセットを指示するリセット信号のうち少なくともいずれか１つを含む複数の信号が入力および／または出力される。
【００５８】
また、コントローラ１００は、６つの主表面を有する直方体状の外形を有しており、６つの主表面のうちの一の主表面である下面１００ｃは、取付用レール（ＤＩＮレール）が挿入され得る取付レール用溝１１０を有している。また、第１のパラレル入出力インターフェイス１０５は、取付レール用溝１１０が設けられていない主表面である下面１００ｃに設けられている。端子台ユニット６００は、信号線を一の主表面に向かって差し込むことができ、信号線をネジ９０１ａ〜ｊおよび９０２ａ〜ｊによって固定することができるように構成されており、かつ、ネジ９０１ａ〜ｊおよび９０２ａ〜ｊは一の主表面に平行に捩じ込まれ得るように構成されている。これによれば、信号線としての配線８０１ａ等をネジ止めすることが容易である。
【００５９】
また、コントローラ１００の外面を構成する共通の平面である下面１００ｃ上に計測信号用インターフェイス１０５と計測信号用インターフェイス１０４とが所定の間隔をおいて接近して設けられている。端子台ユニット６００は、端子台ユニット６００がコントローラ１００に装着されたときのコントローラ１００の表面である下面１００ｃの端子台ユニット６００の占有面積が、パラレルコネクタ７００がコントローラ１００に装着されたときのコントローラ１００の表面である下面１００ｃのパラレルコネクタ７００の占有面積よりも大きい。なお、端子台ユニット６００は、計測信号用インターフェイス１０５に接続された状態で、計測信号用インターフェイス１０４の少なくとも一部を覆ってしまってもよい。
【００６０】
また、端子台ユニット６００がコントローラ１００に装着されたときに、端子台ユニット６００がコントローラ１００の取り付け表面である下面１００ｃからはみ出さないことが望ましい。特に、ＤＩＮレールの取付レール用溝１１０側にはみ出すと、ＤＩＮレールにコントローラ１００を取り付けることができないため、端子台ユニット６００は下面１００ｃから背面１００ｂ側にはみ出さないことが必要である。
【００６１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６２】
【図１】実施の形態の電子機器のとしての計測機器の一部のコントローラの斜視図である。
【図２】実施の形態のコントローラの一方の側面図である。
【図３】実施の形態のコントローラの背面図である。
【図４】実施の形態のコントローラの底面図である。
【図５】実施の形態のコントローラに端子台ユニットが取付けられた状態を説明するための図である。
【図６】端子台ユニットの斜視図である。
【図７】端子台ユニットの構成を説明するための図である。
【図８】端子台ユニットの正面図である。
【図９】端子台ユニットの側面図である。
【図１０】コントローラに端子台ユニットまたはパラレルコネクタが接続可能であることを説明するための図である。
【図１１】端子台ユニットに信号線が１本ずつ取付けられることを説明するための図である。
【符号の説明】
【００６３】
１００  コントローラ、１０１  ＬＣＤ、１０２  設定ボタン、１０４，１０５  計測制御信号用インターフェイス、１０６  電源用インターフェイス、１０７，１０８  カメラ用インターフェイス、１０９  外部表示装置用インターフェイス、１１１  開口、２００  カメラ、２０１  撮像部、２０２  照明部、３００  信号線、４００  取付用レール、５００  ダクト、５０１  開口、Ａ  熱気の流れを示す矢印、１００ａ  正面、１００ｂ  背面、１００ｃ  下面、１００ｄ  上面、１００ｅ，１００ｆ  側面、６００  端子台ユニット、７００  パラレルコネクタ、８０１  信号線、１０００  筐体。
【図１】
2008123845.tif 000007
【図２】
2008123845.tif 000008
【図３】
2008123845.tif 000009
【図４】
2008123845.tif 000010
【図５】
2008123845.tif 000011
【図６】
2008123845.tif 000012
【図７】
2008123845.tif 000013
【図８】
2008123845.tif 000014
【図９】
2008123845.tif 000015
【図１０】
2008123845.tif 000016
【図１１】
2008123845.tif 000017